(57)【要約】【課題】  二次電池の種類によらず、過冷却状態で充電することを低減することができる充電装置、及びこの充電装置を用いた充電式電動工具セットを提供する。【解決手段】  二次電池３４へ充電電流を供給する電源部３７と、二次電池３４の種類を示す電池種別信号Ｓｂを受信する電極２７と、二次電池３４の温度を示す電池温度信号Ｓｔを受信する電極２９と、二次電池３４へ送風するファン４３と、複数種類の二次電池３４における充電に適さない温度を判定するための判定温度と各種類の二次電池３４とを対応付けて記憶する記憶部と、温度センサ５１により検出された二次電池３４の温度が当該二次電池３４の判定温度を超える場合、ファン４３に送風を行わせ、温度センサ５１により検出された二次電池３４の温度が当該二次電池３４の判定温度以下である場合、ファン４３による送風を停止させるようにした。【選択図】      図４
2006278032.tif 000002
【特許請求の範囲】
【請求項１】
複数種類の二次電池を充電するための充電装置であって、
前記二次電池へ充電電流を供給する電源部と、
充電対象の二次電池の種類を示す電池種別信号を受信する電池種別信号受信部と、
前記二次電池の温度を示す電池温度信号を受信する電池温度信号受信部と、
前記二次電池へ送風する送風部と、
前記複数種類の二次電池における充電に適さない温度を判定するための判定温度と各種類の二次電池とを対応付けて記憶する記憶部と、
前記電池温度信号受信部により受信された電池温度信号で示される二次電池の温度が前記電池種別信号受信部により受信された電池種別信号で示される二次電池の種類に対応付けて前記記憶部に記憶されている判定温度を超える場合、前記送風部に送風を行わせ、前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合、前記送風部による送風を停止させる制御部と
を備えることを特徴とする充電装置。
【請求項２】
前記送風部により送風される空気の温度を検出する空気温度検出部をさらに備え、
前記制御部は、前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合であって、かつ前記空気温度検出部により検出された空気の温度が前記電池温度信号受信部により受信された電池温度信号で示される二次電池の温度より高い場合、前記送風部に送風を行わせること
を特徴とする請求項１記載の充電装置。
【請求項３】
前記送風部により送風される空気を暖める暖気部をさらに備え、
前記制御部は、前記電池温度信号受信部により受信された電池温度信号で示される二次電池の温度が前記電池種別信号受信部により受信された電池種別信号で示される二次電池の種類に対応付けて前記記憶部に記憶されている判定温度を超える場合、前記送風部に外気の送風を行わせ、
前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合、前記送風部による送風を停止させる代わりに、前記暖気部により暖められた空気を前記送風部に送風させること
を特徴とする請求項１記載の充電装置。
【請求項４】
前記電源部を前記暖気部として用いることを特徴とする請求項３記載の充電装置。
【請求項５】
モータを有する電動工具本体と、
前記電動工具本体に装着されて前記モータに電流を供給する二次電池と前記二次電池の種類を示す電池種別信号を出力する種別信号出力部と前記二次電池の温度を検出し、当該検出した温度を示す電池温度信号を出力する電池温度検出部とを備える電池パックと、
前記電池パックに対し充電を行う充電装置とを備えた充電式電動工具セットであって、
前記充電装置は、請求項１〜４のいずれかに記載の充電装置であること
を特徴とする充電式電動工具セット。
【発明の詳細な説明】
【技術分野】
【０００１】
本発明は、複数種類の二次電池を充電するための充電装置に関する。そして、このような充電装置を備えた充電式電動工具セットに関する。
【背景技術】
【０００２】
従来、例えばコードレスの充電式電動工具の電源に用いられるニッケル水素二次電池等の二次電池は、充電電流を増大させると充電時間を短縮できる一方、充電時における発熱が増大して高温となり、二次電池のサイクル寿命が短くなるという問題がある。
【０００３】
そこで、このような二次電池を充電する充電装置に二次電池を冷却する冷却ファンを備え、冷却ファンによって二次電池の温度上昇を抑制するようにした充電装置が知られている（例えば、特許文献１、２参照。）。
【特許文献１】特開２００１−１３６６７６号公報
【特許文献２】特開２０００−３１２４４０号公報
【発明の開示】
【発明が解決しようとする課題】
【０００４】
ところで、二次電池は、高温状態で充電するとサイクル寿命が短くなる一方、充電に適した所定の温度範囲を超えて低温になった過冷却状態で充電した場合にも、サイクル寿命が短くなるという性質がある。このような、充電に適した温度範囲は、二次電池の種類によって異なっている。また、二次電池は、その種類によって充電時の挙動が異なり、例えば、ニッケル水素二次電池は充電により発熱する発熱反応を生じるが、リチウムイオン二次電池やニッケルカドミウム二次電池は充電により吸熱する吸熱反応を生じる。
【０００５】
そのため、上述のような二次電池を冷却する冷却ファンを備えた充電装置において、二次電池の種類によらず、例えば充電時に発熱するニッケル水素二次電池と同じように充電時に吸熱するリチウムイオン二次電池を冷却ファンによって冷却すると、過冷却されて電池の温度が充電に適した温度範囲を超えて低温になる場合があり、充電によりサイクル寿命が短くなる場合があるという不都合があった。
【０００６】
本発明は、このような問題に鑑みて為された発明であり、二次電池の種類によらず、過冷却状態で充電することを低減することができる充電装置、及びこの充電装置を用いた充電式電動工具セットを提供することを目的とする。
【課題を解決するための手段】
【０００７】
上述の目的を達成するために、本発明の第１の手段に係る充電装置は、複数種類の二次電池を充電するための充電装置であって、前記二次電池へ充電電流を供給する電源部と、充電対象の二次電池の種類を示す電池種別信号を受信する電池種別信号受信部と、前記二次電池の温度を示す電池温度信号を受信する電池温度信号受信部と、前記二次電池へ送風する送風部と、前記複数種類の二次電池における充電に適さない温度を判定するための判定温度と各種類の二次電池とを対応付けて記憶する記憶部と、前記電池温度信号受信部により受信された電池温度信号で示される二次電池の温度が前記電池種別信号受信部により受信された電池種別信号で示される二次電池の種類に対応付けて前記記憶部に記憶されている判定温度を超える場合、前記送風部に送風を行わせ、前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合、前記送風部による送風を停止させる制御部とを備えることを特徴としている。
【０００８】
また、上述の充電装置において、前記送風部により送風される空気の温度を検出する空気温度検出部をさらに備え、前記制御部は、前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合であって、かつ前記空気温度検出部により検出された空気の温度が前記電池温度信号受信部により受信された電池温度信号で示される二次電池の温度より高い場合、前記送風部に送風を行わせることを特徴としている。
【０００９】
また、上述の充電装置において、前記送風部により送風される空気を暖める暖気部をさらに備え、前記制御部は、前記電池温度信号受信部により受信された電池温度信号で示される二次電池の温度が前記電池種別信号受信部により受信された電池種別信号で示される二次電池の種類に対応付けて前記記憶部に記憶されている判定温度を超える場合、前記送風部に外気の送風を行わせ、前記電池温度信号受信部により受信された電池温度信号で示される二次電池の温度が前記電池種別信号受信部により受信された電池種別信号で示される二次電池の種類に対応付けて前記記憶部に記憶されている判定温度以下である場合、前記送風部による送風を停止させる代わりに、前記暖気部により暖められた空気を前記送風部に送風させることを特徴としている。
【００１０】
また、上述の充電装置において、前記電源部を前記暖気部として用いることを特徴としている。
【００１１】
そして、本発明の第２の手段に係る充電式電動工具セットは、モータを有する電動工具本体と、前記電動工具本体に装着されて前記モータに電流を供給する二次電池と前記二次電池の種類を示す電池種別信号を出力する種別信号出力部と前記二次電池の温度を検出し、当該検出した温度を示す電池温度信号を出力する電池温度検出部とを備える電池パックと、前記電池パックに対し充電を行う充電装置とを備えた充電式電動工具セットであって、前記充電装置は、上述のいずれかに記載の充電装置であることを特徴としている。
【発明の効果】
【００１２】
このような構成の充電装置及び充電式電動工具セットは、電池温度検出部により検出された二次電池の温度が種類検出部により検出された二次電池の種類に対応付けて記憶部に記憶されている判定温度を超える場合、送風部により二次電池へ送風を行わせ、電池温度検出部により検出された二次電池の温度が種類検出部により検出された二次電池の種類に対応付けて記憶部に記憶されている判定温度以下である場合、送風部による二次電池への送風を停止させるので、二次電池の種類に応じた判定温度に基づいて、二次電池の温度が判定温度を超えていれば二次電池を冷却するべく送風部による送風が行われ、二次電池の温度が判定温度以下であれば二次電池の過冷却を避けるべく送風部による送風が停止され、二次電池の種類によらず、二次電池が過冷却状態で充電されることを低減することができる。
【発明を実施するための最良の形態】
【００１３】
以下、本発明に係る実施形態を図面に基づいて説明する。なお、各図において同一の符号を付した構成は、同一の構成であることを示し、その説明を省略する。
【００１４】
（第１実施形態）
負荷を含む電気機器本体と、この電気機器本体の負荷に電力を供給するための電池を含む電池パックとを備える電気機器は、ノート型パーソナルコンピュータ、カメラ一体型ビデオレコーダ、ディジタルカメラ、電気かみそり及び電動歯ブラシ等の種々の電気機器があるが、一例として、本発明を電動工具に適用した実施の形態について以下に説明する。
【００１５】
図１は、本発明の一実施形態に係る充電装置が適用される充電式電動工具セットの外観を示す外観構成図である。図２は、本発明の一実施形態に係る充電装置が適用される電池パックの外観を示す斜視図である。図３は、本発明の一実施形態に係る充電装置の外観を示す平面図で、図３（ａ）は上面図、図３（ｂ）は下面図、図３（ｃ）は充電装置に電池パックが取り付けられた状態での上面図である。図１において、充電式電動工具セット１０は、電動工具の一例である充電式ドリルドライバーを構成する電動工具本体２と、この電動工具本体２に装着された電池パック１と、この電池パック１を充電する充電装置３とを備えている。
【００１６】
電動工具本体２は、筐体１８の把持部の内部に形成され、電池パック１が取外し自在に装着される装着部２０と、筐体１８の内部に配設され、電池パック１から電流が供給されることで駆動されるモータ２２と、筐体１８の把持部に設けられ、モータ２２への電流の供給をオンオフ制御するトリガースイッチ２４と、筐体１８の先端に設けられ、ドリル歯などが取り付けられる回転部２６とを備えている。装着部２０の底部には、モータ２２に接続された一対の電極２８が取り付けられている。
【００１７】
図２に示す電池パック１は、内部に二次電池３４などが収納された筐体１１と、筐体１１の一面側に突出し、電動工具本体２の装着部２０に装着されるコネクタ部９とを備えている。また、コネクタ部９の側面には、電極１５，１７，１９，２１がその表面に露出するように配設されている。そして、電極１５，１７は、二次電池３４に接続されており、電動工具本体２の装着部２０に装着されたときに電極１５，１７と一対の電極２８とが圧接されるようになっている。なお、図１において、電動工具本体２の装着部２０に電池パック１が装着された状態を示している。
【００１８】
図１に示す充電装置３は、略箱状の筐体３０と、例えばＡＣ１００Ｖの商用電源に接続される電源線７と、略箱状の筐体３０の上面に、電池パック１におけるコネクタ部９が挿入可能な凹部をなしたコネクタ部１３とを備えている。図３（ａ）を参照して、コネクタ部１３の内側面にはコネクタ部９が備える電極１５，１７，１９，２１と接触することにより電気的接続を図る電極２５，２７，２９，３１が配設されており、充電装置３に電池パック１が装着されたときに電極１５，１７，１９，２１と電極２５，２７，２９，３１とが圧接されるようになっている。そして、例えば、電極１７，３１は正の充電電極、電極１５，２５は負の充電電極（回路グラウンド）、電極１９，２９は二次電池３４の電池温度信号Ｓｔを伝える電極、電極２１，２７は、二次電池３４の種類を示す電池種別信号Ｓｂを伝える電極にされている。この場合、電極２７は電池種別信号受信部の一例に相当し、電極２９は電池温度信号受信部の一例に相当している。
【００１９】
電池パック１が充電装置３へ装着されていなければ、充電装置３は充電不可となり、装着されておれば充電可能となる。電池パック１と充電装置３とには、それらが結合したときに互いに対向する表面上の位置に、例えばスリット状の通気孔２３，３３がそれぞれに設けられている。また、電池パック１の筐体１１における充電装置３と対向する側と反対側には、図３（ｃ）に示すように、通気孔３６が設けられており、充電装置３の筐体３０における通気孔３３と対向する底面位置には、図３（ｂ）に示すように、スリット状の通気孔３２が設けられている。そして、筐体３０の側面には、図１に示すように、充電装置３内部の熱を放出するためのスリット状の通気孔３５が設けられている。
【００２０】
充電装置３は後述のファン４３を内蔵しており、このファン４３によって吸気された空気の流れが、通気孔２３，３３を通じて充電中の電池パック１内の二次電池３４にも供給され、通気孔３６から外部に放出されるようになっている。
【００２１】
図４は、電池パック１及び充電装置３が結合された状態での電気的構成の一例を示すブロック図である。図４に示す電池パック１は、二次電池３４と、温度センサ５１（電池温度検出部）と、種別信号出力部５２とを備えている。充電装置３は、電源部３７と、制御部３８と、定電流回路３９と、定電圧回路４１と、空気温度検出部４２と、ファン４３（送風部）と、ファン４３を回転させるモータ４４と、制御部３８からの制御信号に応じてモータ４４の回転を制御するファン駆動回路４５とを備えている。
【００２２】
二次電池３４は、例えばニッケル水素二次電池、リチウムイオン二次電池やニッケルカドミウム二次電池等の二次電池であり、正極が電極１７、負極が電極１５に接続されている。そして、電極１７は電極３１を介して定電圧回路４１に接続され、電極１５は電極２５を介して定電流回路３９に接続されている。
【００２３】
温度センサ５１は、例えば熱電対やサーミスタ等の温度センサであり、二次電池３４の温度を検知して、その検知した温度を示す電池温度信号Ｓｔを電極１９、電極２９を介して制御部３８へ出力する。
【００２４】
種別信号出力部５２は、二次電池３４の種類を示す電池種別信号Ｓｂを電極２１，２７を介して制御部３８へ出力する回路部で、例えば電極１５，２１間に接続された抵抗Ｒｂによって構成されている。抵抗Ｒｂは、二次電池３４の種類によって異なる抵抗値にされており、例えば、リチウムイオン二次電池の場合は１０ｋΩ、ニッケルカドミウム二次電池の場合は２０ｋΩ、ニッケル水素二次電池の場合は３０ｋΩにされている。
【００２５】
そして、電極２７は、例えば１０ｋΩの抵抗Ｒ１を介して回路動作用電源電圧５Ｖに接続されており、抵抗Ｒ１と抵抗Ｒｂとの分圧比によって、電池種別信号Ｓｂは、リチウムイオン二次電池の場合２．５Ｖ、ニッケルカドミウム二次電池の場合３．３Ｖ、ニッケル水素二次電池の場合３．７５Ｖになるようにされている。
【００２６】
電源部３７は、例えばＡＣ−ＤＣコンバータとして構成された電源回路で、電源線７を介して接続された商用電源から供給された交流電圧を直流電圧に変換する。定電流回路３９は、制御部３８からの制御信号に応じて電源部３７から電池パック１へ供給される二次電池３４の充電電流を調整する。定電圧回路４１は、制御部３８からの制御信号に応じて電源部３７から電池パック１へ供給される二次電池３４の充電電圧を調整する。
【００２７】
空気温度検出部４２は、ファン４３により二次電池３４へ送風される空気の温度を検出し、制御部３８へ出力する温度センサで、例えばファン４３の近傍に設けられた熱電対やサーミスタ等の温度センサが用いられる。
【００２８】
制御部３８は、例えば所定の演算処理を実行するＣＰＵ（Central Processing Unit）と、所定の制御プログラムが記録された不揮発性の記憶素子であるＲＯＭ（Read Only Memory）と、データを一時的に記録する揮発性の記憶素子であるＲＡＭ（Random Access Memory）と、電池温度信号Ｓｔや電池種別信号Ｓｂをデジタル信号に変換するためのＡ／Ｄコンバータ等を備えて構成され、ＲＯＭに記憶された制御プログラムを実行することにより、定電流回路３９及び定電圧回路４１へ制御信号を出力して二次電池３４の充電動作を制御したり、ファン駆動回路４５へ制御信号を出力してファン４３による送風動作を制御したりする。
【００２９】
次に、上述のように構成された電池パック１及び充電装置３が結合された場合の充電動作について説明する。図５は、電池パック１及び充電装置３が結合された場合の充電動作の一例を示すフローチャートである。まず、充電装置３に電池パック１が結合されていない状態では、電極２７が開放されているので、電池種別信号Ｓｂは抵抗Ｒ１でプルアップされ、５Ｖにされて制御部３８に入力されている。
【００３０】
そして、充電装置３と電池パック１とが結合されると、電極２７と電極２１とが圧接され、抵抗Ｒ１と抵抗Ｒｂとの直列回路が形成される結果、電池種別信号Ｓｂは抵抗Ｒ１と抵抗Ｒｂとによって分圧された電圧になるため、電池種別信号Ｓｂの電圧が低下する。そうすると、制御部３８によって、電池種別信号Ｓｂの電圧低下が検出されることにより、電池パック１が充電装置３に結合されたことが認識され（ステップＳ１１でＹＥＳ）、ステップＳ１２へ移行する。
【００３１】
次に、制御部３８によって、電池種別信号Ｓｂの電圧に基づき、二次電池３４の種類が認識される（ステップＳ１２）。例えば、電池種別信号Ｓｂが、２．５Ｖであればリチウムイオン二次電池、３．３Ｖであればニッケルカドミウム二次電池、３．７５Ｖであればニッケル水素二次電池として制御部３８により二次電池３４の種類が認識される。
【００３２】
次に、制御部３８によって、ステップＳ１２で認識された二次電池３４の種類に基づいて、各種類の二次電池における充電に適さない温度を判定するための判定温度ＴＬが設定される（ステップＳ１３）。例えば、判定温度ＴＬとしては、各種類の二次電池の電解液が凍結する温度が用いられ、リチウムイオン二次電池の場合、判定温度ＴＬは０°Ｃ〜＋１０°Ｃ程度の範囲で設定され、例えば０°Ｃに設定される。ニッケルカドミウム二次電池の場合、判定温度ＴＬは−１０°Ｃ〜０°Ｃ程度の範囲で設定され、例えば−１０°Ｃに設定される。ニッケル水素二次電池の場合、判定温度ＴＬは−２０°Ｃ〜−１０°Ｃ程度の範囲で設定され、例えば−２０°Ｃに設定される。
【００３３】
この場合、制御部３８における制御プログラムを記憶している上述のＲＯＭが、記憶部の一例に相当している。なお、複数種類の二次電池と各種類の二次電池における判定温度ＴＬとを対応付けたＬＵＴ（ルックアップテーブル）を、制御プログラムとは別に上述のＲＯＭに予め記憶する構成としてもよい。
【００３４】
次に、温度センサ５１によって、二次電池３４の温度が検出され、当該検出された温度を示す電池温度信号Ｓｔが電極１９，２９を介して制御部３８へ出力される。そして、制御部３８によって、電池温度信号Ｓｔに基づき二次電池３４の電池温度Ｔｂが取得される（ステップＳ１４）。
【００３５】
次に、空気温度検出部４２により、ファン４３の近傍における空気の温度である風温Ｔａが測定され、その風温Ｔａを示す信号が制御部３８へ出力され、制御部３８により風温Ｔａが取得される（ステップＳ１５）。
【００３６】
そして、制御部３８によって、電池温度Ｔｂと判定温度ＴＬとが比較され（ステップＳ１６）、電池温度Ｔｂが判定温度ＴＬを超えていれば（ステップＳ１６でＮＯ）二次電池３４を冷却するべくステップＳ１８へ移行する一方、電池温度Ｔｂが判定温度ＴＬ以下であれば（ステップＳ１６でＹＥＳ）、風温Ｔａと電池温度Ｔｂとが比較され（ステップＳ１７）、風温Ｔａが電池温度Ｔｂを超えていれば（ステップＳ１７でＹＥＳ）二次電池３４を暖めるべくステップＳ１８へ移行する一方、風温Ｔａが電池温度Ｔｂ以下であれば（ステップＳ１７でＮＯ）二次電池３４の過冷却を避けるべく制御部３８からファン駆動回路４５へファン４３を停止させる旨の制御信号が出力され、ファン駆動回路４５によりモータ４４の回転が停止され、ファン４３が停止され（ステップＳ１９）、充電を開始するべくステップＳ２０へ移行する。
【００３７】
次に、ステップＳ１８において、制御部３８からファン駆動回路４５へファン４３を回転させる旨の制御信号が出力され、ファン駆動回路４５によりモータ４４が回転され、ファン４３によって、通気孔３２から吸気された空気が通気孔３３と通気孔２３とを介して二次電池３４へ送風される（ステップＳ１８）。
【００３８】
なお、ステップＳ１９におけるファン４３の停止状態には、二次電池３４を過冷却にしない程度の低速回転、例えばステップＳ１８におけるファン４３の風量の１／１０程度の風量を生じる程度の回転をさせる状態を含む。二次電池は、充電時にガスを生じる場合がある。例えば、ニッケル水素二次電池は、過充電されると水素ガスを発生する。そこで、ファン４３の回転を低速にして冷却効果を低下させつつ微風を二次電池３４へ送風することで、二次電池３４から放出されたガスを電池パック１の通気孔３６から外部へ放出させることができる。
【００３９】
次に、ステップＳ２０において、制御部３８からの制御信号に応じて、電源部３７から二次電池３４の充電電流が出力されて充電が開始され（ステップＳ２０）、定電圧回路４１により電源部３７から出力される充電電圧が調整され、定電流回路３９により電源部３７から出力される充電電流が調整されて充電動作が制御される（ステップＳ２１）。そして、二次電池３４の充電中にもステップＳ１１〜Ｓ２１の動作が繰り返され、充電中における二次電池３４の過冷却が低減される。
【００４０】
以上、ステップＳ１１〜Ｓ２１の処理により、二次電池３４の種類に応じた判定温度ＴＬが設定され、電池温度Ｔｂが判定温度ＴＬを超えていれば二次電池３４を冷却するべくファン４３による送風が行われ、電池温度Ｔｂが判定温度ＴＬ以下であってかつ風温Ｔａが電池温度Ｔｂ以下であれば二次電池３４の過冷却を避けるべくファン４３が停止され、電池温度Ｔｂが判定温度ＴＬ以下であってかつ風温Ｔａが電池温度Ｔｂを超えていれば二次電池３４を暖めるべくファン４３による送風が行われるので、二次電池の種類によらず、過冷却状態で充電することを低減することができる。
【００４１】
また、電池温度Ｔｂが判定温度ＴＬ以下であってかつ風温Ｔａが電池温度Ｔｂを超えていれば二次電池３４を暖めるべくファン４３による送風が行われるので、電池温度Ｔｂを充電に適した温度、すなわち判定温度ＴＬを超える温度に上昇させる時間を短縮することができる。
【００４２】
例えば、電池パック１が取り付けられた電動工具本体２は、例えば工事現場や作業場等、屋外で使用されたり屋外で保管されたりする場合が少なくなく、このように屋外の外気に晒されて低温になった電池パック１が、室内の暖かい環境で充電装置３に取り付けられて充電される場合がある。このような場合、電池パック１における二次電池３４の電池温度Ｔｂよりも充電装置３周辺の空気温、すなわち風温Ｔａの方が温度が高くなるため、ファン４３による送風を行うことにより、二次電池３４を暖めることができる。
【００４３】
なお、図６に示すように、ステップＳ１７における風温Ｔａと電池温度Ｔｂとの比較処理を行わず、電池温度Ｔｂが判定温度ＴＬを超えていれば（ステップＳ１６でＮＯ）二次電池３４を冷却するべくステップＳ１８へ移行する一方、電池温度Ｔｂが判定温度ＴＬ以下であれば（ステップＳ１６でＹＥＳ）、二次電池３４の過冷却を避けるべくファン４３が停止される（ステップＳ１９）構成としてもよい。
【００４４】
（第２実施形態）
次に、本発明の第２の実施形態に係る充電式電動工具セットに用いられる充電装置について説明する。図７は、本発明の第２の実施形態に係る充電装置３ａの構成の一例を示す断面図である。図７（ａ）は図１に示す充電装置３ａのＸ−Ｘ断面を示し、図７（ｂ）は図１に示す充電装置３ａのＹ−Ｙ断面を示している。また、図８は、図７に示す充電装置３ａの構成の一例を示すブロック図である。
【００４５】
本発明の第１の実施形態に係る充電装置３と、図７に示す充電装置３ａとでは、下記の点で異なる。すなわち、図７に示す充電装置３ａは、ファン４６を備え、ファン４３とファン４６との間には、隔壁４７が設けられている。
【００４６】
これにより、ファン４３が回転すると破線で風路Ａとして示すように通気孔３２から吸気された空気が通気孔３３から電池パック１へ送風され、ファン４６が回転すると破線で風路Ｂとして示すように通気孔３５から吸気された空気が電源部３７の内部を通って通気孔３３から電池パック１へ送風される。この場合、ファン４３とファン４６とが送風部の一例に相当し、電源部３７が暖気部の一例に相当している。
【００４７】
また、制御部３８ａの動作が後述のように異なる点をのぞき、その他の構成は図４に示す充電装置３と同様であるのでその説明を省略する。以下本実施形態の動作について説明する。図９は、図８に示す充電装置３ａの動作の一例を示すフローチャートである。図９に示すフローチャートは、図６に示すフローチャートとは、ステップＳ２２において、ファン４３を停止させる代わりにファン４６を作動させる点で異なる。
【００４８】
その他の動作は図６に示すフローチャートと同様であるのでその説明を省略し、ステップＳ２２における動作について説明する。まず、ステップＳ１６において、電池温度Ｔｂが判定温度ＴＬを超えていれば（ステップＳ１６でＮＯ）二次電池３４を冷却するべくステップＳ１８へ移行する一方、電池温度Ｔｂが判定温度ＴＬ以下であれば（ステップＳ１６でＹＥＳ）、二次電池３４を暖めるべく制御部３８ａからファン駆動回路４５へファン４６を回転させる旨の制御信号が出力され、ファン駆動回路４５によりモータ４８が回転され、ファン４６によって、通気孔３５から吸気された空気が電源部３７の内部を通って通気孔３３と電池パック１の通気孔２３とを介して二次電池３４へ送風される（ステップＳ２２）。
【００４９】
そうすると、電源部３７は、交流電源電圧を直流電圧に変換する際の電力損失によって発熱しているため、ファン４６によって、通気孔３５から吸気された空気は、電源部３７の内部を通る際に暖められ、その暖められた空気が通気孔３３と通気孔２３とを介して二次電池３４へ送風されるので、二次電池３４を暖めることができ、電池温度Ｔｂを充電に適した温度、すなわち判定温度ＴＬを超える温度に上昇させる時間を短縮することができる。
【００５０】
なお、電源部３７を暖気部として用いる例に限られず、例えばヒータを暖気部として備え、二次電池３４に送風する空気を暖める構成としてもよい。
【図面の簡単な説明】
【００５１】
【図１】本発明の一実施形態に係る充電装置が適用される充電式電動工具セットの外観を示す外観構成図である。
【図２】図１に示す電池パックの外観を示す斜視図である。
【図３】図１に示す充電装置の外観を示す平面図で、図３（ａ）は上面図、図３（ｂ）は下面図、図３（ｃ）は充電装置に電池パックが取り付けられた状態での上面図である。
【図４】本発明の第１の実施の形態に係る電池パック及び充電装置の構成の一例を示すブロック図である。
【図５】図４に示す電池パック及び充電装置が結合された場合の充電動作の一例を示すフローチャートである。
【図６】図４に示す電池パック及び充電装置が結合された場合の充電動作の一例を示すフローチャートである。
【図７】本発明の第２の実施形態に係る充電装置の構成の一例を示す断面図である。
【図８】図７に示す充電装置の構成の一例を示すブロック図である。
【図９】図８に示す充電装置の動作の一例を示すフローチャートである。
【符号の説明】
【００５２】
１    電池パック
２    電動工具本体
３，３ａ  充電装置
９，１３  コネクタ部
１０  充電式電動工具セット
１５，１７，１９，２１，２５，２７，２８，２９，３１  電極
２２  モータ
２３，３２，３３，３５，３６  通気孔
３４  二次電池
３７  電源部
３８，３８ａ  制御部
３９  定電流回路
４１  定電圧回路
４２  空気温度検出部
４３，４６  ファン
４５  ファン駆動回路
４７  隔壁
５１  温度センサ
５２  種別信号出力部
Ｒ１，Ｒｂ  抵抗
Ｓｂ  電池種別信号
Ｓｔ  電池温度信号
【図１】
2006278032.tif 000003
【図２】
2006278032.tif 000004
【図３】
2006278032.tif 000005
【図４】
2006278032.tif 000006
【図５】
2006278032.tif 000007
【図６】
2006278032.tif 000008
【図７】
2006278032.tif 000009
【図８】
2006278032.tif 000010
【図９】
2006278032.tif 000011